(57)【要約】【課題】  取り外し作業の作業性に優れた仮設足場用幅木を提供することを目的とする。【解決手段】  長さ方向両端に係止部材１０、１０を備え、該係止部材の下端に設けられた係止部１１が仮設足場の横架材Ｙに係止されるものとなされ、前記係止部材１０の上部に設けられた操作部１５を操作することにより、前記係止部１１が横架材に係止する係止状態から該係止状態を解除する係止解除状態への変更と、幅木Ａの持ち上げとが行われるものとなされている。係止部材１０は、幅木本体１の厚さ方向に対向する一対の保持板３、３と両保持板３、３を連結する連結板４とからなる横断面コ字状に形成された係止部材保持部１の内側に設けられている。係止部材１０は、保持板３に設けられた上下動案内用長孔５と、該上下動案内用長孔５を貫通するピン１７を介して係止部材保持部２に上下動可能に案内される。【選択図】  図１
2011149194.tif 000002
【特許請求の範囲】
【請求項１】
長さ方向両端に係止部材を備え、該係止部材の下端に設けられた係止部が仮設足場の横架材に係止されるものとなされ、前記係止部材の上部に設けられた操作部を操作することにより、前記係止部が横架材に係止する係止状態から該係止状態を解除する係止解除状態への変更と、幅木の持ち上げとが行われるものとなされていることを特徴とする仮設足場用幅木。
【請求項２】
幅木本体の長さ方向両端に設けられた係止部材保持部に、前記係止部材が上下動可能に取り付けられ、前記係止部材の下降位置において前記係止部が前記係止状態となり、前記係止部材が該下降位置から上昇することにより前記係止部が前記係止解除状態となるものとなされている前項１に記載の仮設足場用幅木。
【請求項３】
前記係止部材保持部又は係止部材に設けられた上下動案内用長孔と、該上下動案内用長孔を貫通するピンとを備え、前記係止部材が、前記上下動案内用長孔及びピンを介して前記係止部材保持部に上下動可能に案内されるものとなされている前項２に記載の仮設足場用幅木。
【請求項４】
前記上下動案内用長孔は、下端が上端よりも幅木の長さ方向中央から遠ざかる斜状に形成されている請求項３に記載の仮設足場用幅木。
【請求項５】
前記係止部材保持部に、係止部材上部の幅木外方側への回転範囲を規制する回転範囲規制部が設けられている請求項３又は４に記載の仮設足場用幅木。
【発明の詳細な説明】
【技術分野】
【０００１】
本発明は、建築現場等で仮設される足場の足場板側縁に起立状に取り付けられる仮設足場用幅木に関する。
【背景技術】
【０００２】
建築現場の仮設足場における作業者の使用する金具類、工具類の高所からの落下防止対策として、足場板に幅木又は幅木に変わるものを設置することが要請されている。
【０００３】
そこで、幅木に関しては、特許文献１〜３に示されるように、仮設足場の横架材に対して斜め下方から係止し、その係止状態が保持されるものとなされた仮設足場用幅木が提案されている。
【先行技術文献】
【特許文献】
【０００４】
【特許文献１】特許公開２００６−１６９９０２号公報
【特許文献２】特許第４０４４８６８号公報
【特許文献３】特許第３７８４０５３号公報
【発明の概要】
【発明が解決しようとする課題】
【０００５】
しかしながら、前記特許文献記載の仮設足場用幅木は、取り外しの際に、幅木の下方から前記係止状態の解除操作を行わなければならなかったり、ハンマー等の工具を必要としたり、あるいは係止状態の保持及び解除の為にボルト回転操作を行わねばならなかったりするものであり、取り外し作業の作業性において改善の余地があった。
【０００６】
本発明は、このような技術的背景に鑑みてなされたもので、取り外し作業の作業性に優れた仮設足場用幅木を提供することを目的とする。
【課題を解決するための手段】
【０００７】
前記目的を達成するために、本発明の仮設足場用幅木は、下記［１］〜［５］の構成を有する。
【０００８】
［１］  長さ方向両端に係止部材を備え、該係止部材の下端に設けられた係止部が仮設足場の横架材に係止されるものとなされ、前記係止部材の上部に設けられた操作部を操作することにより、前記係止部が横架材に係止する係止状態から該係止状態を解除する係止解除状態への変更と、幅木の持ち上げとが行われるものとなされていることを特徴とする仮設足場用幅木。
【０００９】
［２］  幅木本体の長さ方向両端に設けられた係止部材保持部に、前記係止部材が上下動可能に取り付けられ、前記係止部材の下降位置において前記係止部が前記係止状態となり、前記係止部材が該下降位置から上昇することにより前記係止部が前記係止解除状態となるものとなされている前項１に記載の仮設足場用幅木。
【００１０】
［３］  前記係止部材保持部又は係止部材に設けられた上下動案内用長孔と、該上下動案内用長孔を貫通するピンとを備え、前記係止部材が、前記上下動案内用長孔及びピンを介して前記係止部材保持部に上下動可能に案内されるものとなされている前項２に記載の仮設足場用幅木。
【００１１】
［４］  前記上下動案内用長孔は、下端が上端よりも幅木の長さ方向中央から遠ざかる斜状に形成されている前項３に記載の仮設足場用幅木。
【００１２】
［５］  前記係止部材保持部に、前記係止部材上部の幅木外方側への回転範囲を規制する回転範囲規制部が設けられている前項３又は４に記載の仮設足場用幅木。
【発明の効果】
【００１３】
本発明は、以下の効果を奏する。
【００１４】
［１］の発明では、長さ方向両端に係止部材を備え、該係止部材の下端に設けられた係止部が仮設足場の横架材に係止されるものとなされ、前記係止部材の上部に設けられた操作部を操作することにより、前記係止部が横架材に係止する係止状態から該係止状態を解除する係止解除状態への変更と、幅木の持ち上げとが行われるものとなされている。
【００１５】
従って、操作部が高い位置にあるので前記係止解除操作が行いやすいことに加えて、操作部を操作して係止部の係止解除を行い、操作部を掴んだ手指を操作部から離して持ち替えたりすることなく幅木自体を持ち上げて仮設足場から取り外すことができ、仮設足場用幅木の取り外し作業の作業性に優れている。
【００１６】
［２］の発明では、幅木本体の長さ方向両端に設けられた係止部材保持部に、前記係止部材が上下動可能に取り付けられ、前記係止部材の下降位置において前記係止部が前記係止状態となり、前記係止部材が該下降位置から上昇することにより前記係止部が前記係止解除状態となるものとなされている。
【００１７】
従って、係止部材の自重を利用して係止部を所期する係止状態に位置せしめることができ、シンプルな構成でもって確実な動作が実現されるので、故障も起こり難い。また、その係止解除は係止部材を持ち上げる操作によって行えるので至便である。
【００１８】
［３］の発明では、前記係止部材保持部又は係止部材に設けられた上下動案内用長孔と、該上下動案内用長孔を貫通するピンとを備え、前記係止部材が、前記上下動案内用長孔及びピンを介して前記係止部材保持部に上下動可能に案内される。
【００１９】
従って、係止部材のスムーズな上下動が保証される。
【００２０】
［４］の発明では、前記上下動案内用長孔の下端が上端よりも幅木の長さ方向中央から遠ざかる斜状に形成されている。
【００２１】
従って、係止部材の上方への移動と横架材からの離隔方向への移動とがより一層スムーズに行える。
【００２２】
［５］の発明では、前記係止部材保持部に、係止部材上部の幅木外方側への回転を規制する回転規制部材が設けられている。
【００２３】
従って、係止部の横架材に対する係止状態の解除に作用する係止部材の過度の回転を規制し、不本意な係止解除を防止することができる。
【図面の簡単な説明】
【００２４】
【図１】本発明の仮設足場用幅木の第１実施形態の仮設足場たて枠への取り付け状態を示す斜視図である。
【図２】同要部の分解状態斜視図である。
【図３】（イ）は、同仮設足場用幅木の平面図、（ロ）は、同正面図である。
【図４】同幅木の横架材への取り付け手順を示す説明図である。
【図５】同幅木の係止状態が保持された状態の説明図である。
【図６】同幅木の横架材からの取り外し手順を示す説明図である。
【図７】（イ）は、本発明の仮設足場用幅木の第２実施形態の平面図、（ロ）は、同正面図である。
【図８】（イ）は、本発明の仮設足場用幅木の第３実施形態の平面図、（ロ）は、同正面図である。
【発明を実施するための形態】
【００２５】
本発明に係る設足場用幅木の一実施形態を、図面を参照しながら具体的に説明する。
【００２６】
なお、以下の説明においては、仮設足場用幅木Ａを仮設足場のたて枠横架材に取り付けるものとして説明しているが、本発明に係る仮設足場用幅木Ａは、たて枠を用いず単管の組み合わせにより構成される仮設足場にも取り付け可能なものである。
【００２７】
この実施形態の仮設足場用幅木Ａは、幅木本体１の長さ方向の両端に、横断面コ字状の係止部材保持部２が、コ字の開口部を幅木本体１から遠ざかる方向に向けて固着されており、該係止部材保持部２の内側に、仮設足場たて枠Ｔの横架材Ｙに係止する係止部材１０が上下動可能かつ回転可能に配置されている。
【００２８】
幅木本体１は、図１に示すように、片面の上下両端部に折り返し片部１ａ、１ａを備えた断面チャンネル状の鋼板からなり、幅木Ａの使用時には、チャンネル状の開口部を足場の外方に向けて横架材間に取り付けられる。
【００２９】
前記係止部材保持部２は、幅木本体１の厚さ方向に対向する一対の保持板３、３と、両保持板３、３を連結する連結板４とにより横断面コ字状に形成されており、前記連結板４の外面が幅木本体１に溶接されて幅木本体１に固着されている。
【００３０】
前記保持板３、３の各々の高さ方向中央より下方位置に、上下動案内用長孔５、５が設けられており、該上下動案内用長孔５は、下端が上端よりも幅木の長さ方向中央から遠ざかる斜状に、すなわち斜め下向きに形成されている。
【００３１】
また、前記両保持板３、３は、横架材Ｙの上周面半部に沿いながら載置状態となるように、前記開口側の下端部に、横架材Ｙの上周面半部に当接する円弧状切欠部３ａが設けられている（図２参照）。
【００３２】
さらに、前記保持板３、３の上部には、係止部材１０の幅木外方側への回転範囲を規制する棒状の回転範囲規制部７が渡しかけられている。
【００３３】
上記係止部材保持部２の内側に配置される係止部材１０は、幅木Ａの厚さ方向に対向する一対の係止板１２、１２と、両係止板１２、１２を連結する連結板１３とにより横断面コ字状に形成され、前記連結板１３の上端には、操作部としての舌状突片１５が、幅木本体１から遠ざかる方向を向いて水平状に突設されている。
【００３４】
前記一対の係止板１２、１２の間隔は、両係止板１２、１２の間に、横架材Ｙに係止されている足場板ＧのフックＦが位置しうるものと設定されている。
【００３５】
該舌状突片１５も、この仮設足場用幅木Ａが仮設足場に設置された際には、係止部材保持部２内に収まるような高さ位置にあるものと設定されている。
【００３６】
該係止部材１０は、後述の係止板１２の貫通孔１８、１８及び上下動案内用長孔５、５に挿通されたピン１７を介して上下動案内用長孔５、５に案内される範囲内で、係止部材保持部２の内側を上下動可能かつピン１７を回転軸として回転可能となされている。
【００３７】
各係止板１２は、下端に斜め下向きに屈曲形成されてなる係止部１１を備えると共に、その高さ方向中央より下方位置であって前記上下動案内用長孔５に対応する高さ位置に、支持ピン１７が挿通される貫通孔１８が設けられている。各係止板１２の貫通孔１８より下方部分は、背面側を切り落としたような細幅に形成されている。これに対応するように連結板１２の下縁は貫通孔１８よりも上方位置までに高さ位置にとどまって短く形成されている。
【００３８】
前記係止部１１は、図２〜６に示すように、前記保持板３の下端から斜め下向きに突出し、保持板３下端の円弧状部３ａが横架材Ｙ上に載置された際に、下方から横架材Ｙの下周面に当接する大きさに形成されている。この係止部１１の斜め下向きの角度は、前記上下動案内用長孔５の斜め下向きの角度と略々同角度に設定されている。
【００３９】
次に、上記構成を有する仮設足場用幅木Ａを横架材Ｙに係止して仮設足場に取り付け手順を図４（イ）〜（ニ）に基づいて説明する。
【００４０】
まず、係止部材１０は、外力が加えられていない時は、自重により最も下降した位置にあり、その位置はピン１７が上下動案内用長孔５の最下部にある位置である。この最下部においては、連結板１３の重量がピン１７を回転軸とする回転の錘として作用し、係止部材１０は、係止部材保持部２の連結板４に凭れかかった傾斜姿勢位置にある。
【００４１】
この姿勢位置から、係止部材保持部２の円弧状切欠部３ａを横架材に載置するべく、幅木Ａを下に降ろすと、図４（イ）に示すように、係止部１１の下縁が横架材Ｙの上周面に当接し上周面を摺動しながら、さらに下降すると、横架材Ｙからの圧力を受けてピン１７が上下動案内用長孔５の上方に向かって移動する。
【００４２】
この移動途上において、係止部材１０が前記傾斜姿勢から一時的に直立姿勢（図示省略）となった後、係止部材１０が回転規制部７側に回転して、前倒れ状態となり、さらに係止部材１０が下降すると、係止部材１０の連結板１３が回転規制部７に当接し、それ以降の幅木外方側への回転は規制される。
【００４３】
引き続き幅木Ａが下降すると、図４（ロ）に示すように、係止部１１の先端が、幅木側に最も突出している横架材Ｙの周面に当接した後、さらに下降して、図４（ハ）に示すように、係止部１１が横架材Ｙの下周面を摺動しながら、横架材Ｙの下方に潜り込んでいくことになる。すなわち、係止部１１の先端が、幅木側に最も突出している横架材Ｙの周面に当接した後、係止部材１０は、その上部が直立姿勢となる方向に回転し、その後直立姿勢から元の傾斜姿勢に戻ろうとするように回転すると共に、徐々に下降していくことになる。
【００４４】
そして、図４（ニ）に示すように、係止部材保持部２の円弧状切欠部３ａが、横架材Ｙの上周面に載置されると、係止部材１０は、係止部材保持部２の連結板４に凭れかかった元の傾斜姿勢位置に近い傾斜姿勢位置にあって、係止部１１が下方から横架材Ｙの下周面に当接した係止状態となる。この係止状態においては、ピン１７が上下動案内用長孔５の内縁最下部よりやや上方位置あり、ピン１７と上下動案内用長孔５の内縁最下部との間には若干のクリアランスが存在している。
【００４５】
この係止状態は、前記回転範囲規制部材７が存在することによって確実に保持されるものである。その係止状態の保持が如何になされるかについて、図５に基づいて説明する。
【００４６】
図５（イ）は、図４（ニ）と同図で、係止部１１が下方から横架材Ｙの下周面に当接した係止状態を示している。
【００４７】
この係止状態において、幅木Ａを上方に持ち上げる外力が作用すると、先ず、前記クリアランス分だけ幅木Ａが持ち上がり、上下動案内用長孔５の内縁最下部がピン１７に圧接して係止部材１０を押し上げて上昇させようとする。しかし、係止部材１０が上昇しようとすると、係止部１１が横架材Ｙからの圧力を受けて、係止部材１０の上部が回転範囲規制部材７側に回転し始めることになるが、該回転は、回転範囲規制部材７によって規制されるので、係止部１１の先端は、幅木側に最も突出している横架材Ｙの周面よりも幅木Ａの長さ方向中央側に移動することができない。
【００４８】
従って、幅木Ａをさらに上方に持ち上げる外力が作用しても、係止部１１と横架材Ｙとが圧接するので、係止部１１の係止状態が保持され、幅木Ａが不本意にも足場から取り外されてしまうことはない（図５（ロ）参照）。
【００４９】
次に、幅木Ａを横架材Ｙから取り外す手順を、図６（イ）〜（ニ）に基づいて説明する。
【００５０】
図６（イ）は、図４（ニ）と同図で、係止部１１が下方から横架材Ｙの下周面に当接した係止状態を示している。
【００５１】
而して、この係止状態にある係止部材１０の操作部１５を上方に持ち上げると、係止部材１０は上下動案内用長孔５に導かれ、係止部１１の先端が横架材Ｙの下周面を摺動しながら、係止部材１０が斜め上方に上昇する。
【００５２】
この上昇時において、係止部１０の先端が、横架材Ｙからの圧力を受け、横架材Ｙの周面を摺動しながら図６（ロ）に示すような時計回りの回転をする一方、係止部１１の先端が、幅木側に最も突出している横架材Ｙの周面に近づいたあたりから係止部材１０の連結板１３の上部が係止部材保持部の連結板４に当接する。
【００５３】
さらに係止部材１０の上昇が続くと、図６（ハ）に示すように、係止部材１０が直立状態となるように僅かに時計回りに回転しながら、ピン１７が上下動案内用長孔５の内縁最上端部に当接する。このとき、係止部１１の先端は、幅木側に最も突出している横架材Ｙの周面の下方位置において、該周面よりも幅木Ａの長さ方向中央側に位置することになる。
【００５４】
この状態のままさらに係止部材１０を上方に持ち上げると、図６（ニ）に示すように、係止部１１の先端が幅木側に最も突出している横架材Ｙの周面を通過して係止部１１の係止状態が解除され、幅木Ａが持ち上がる。
【００５５】
そのまま、さらに幅木Ａを上方に持ち上げても良いし、幅木本体１と足場板Ｇとの間に手指を差し入れることができる隙間が生じるようになれば、幅木本体１の下端部を持って持ち上げても良い。
【００５６】
上記実施形態の仮設足場用幅木は、次のような効果を奏する。
【００５７】
係止部材１０上部の操作部１５を操作することにより、前記係止部１１の係止状態から係止解除状態への変更と、幅木Ａの持ち上げとが行われものとなされているので、仮設足場用幅木の取り外し作業の作業性が向上すると共に、係止部１１の係止解除操作を足場板Ｇの上方においてかつ工具や治具を用いることなく行えるので至便である。
【００５８】
また、幅木本体１の長さ方向両端に設けられた係止部材保持部２に、前記係止部材１０が上下動可能に取り付けられているので、係止部材１０の自重を利用して係止部１１を所期する係止位置に位置せしめることができる。また、その係止解除は係止部材１１を持ち上げる操作によって行えるので至便である。
【００５９】
さらに、係止部材１０が、上下動案内用長孔５及びピン１７を介して係止部材保持部２に上下動可能に保持されているので、係止部材１０のスムーズな上下動が保証される。
【００６０】
しかも、前記上下動案内用長孔５の下端が上端よりも幅木Ａの長さ方向中央から遠ざかる斜状に形成されているので、係止部材１０の上方への移動と横架材Ｙからの離隔方向への移動とがより一層スムーズに行える。
【００６１】
また、前記係止部材保持部２に、係止部材上部の幅木外方側への回転を規制する回転規制部材が設けられているので、係止部の横架材に対する係止状態の解除に作用する係止部材の過度の回転を規制し、不本意な係止解除を防止することができる。
【００６２】
図７及び図８は、この発明に係る仮設足場用幅木の他の実施形態を示すもので、これらの実施形態と第１実施形態とは、共通する部位が多々あるので、以下の説明においては、共通する部位については同符号を用いて説明を行う。
【００６３】
図７に示す第２実施形態の仮設足場用幅木Ｂは、係止部材保持部２２が一対の保持板２３、２３のみからなり、両保持板２３、２３がリベット２８により直接幅木本体１に取り付けられている点が、第１実施形態の仮設足場用幅木Ａと異なっている。
【００６４】
また、係止部材１０の回転範囲を規制する回転範囲規制部２７が、支持板２３の一部を内側に切り起こし形成されてなるものであることが第１実施形態の回転規制部７と異なっている。
【００６５】
係止部材１０が、前記各保持板２３、２３に設けられた斜状の上下動案内用長孔５と該上下動案内用長孔５を貫通するピン１７を介して上下動可能に保持されていることは第１実施形態と同様である。
【００６６】
従って、係止部材１０の上下動及びそれに伴う横架材Ｙへの係止・解除動作は、第１実施形態の係止部材１０と同一であるので詳細な説明を省略する。
【００６７】
この実施形態の仮設足場用幅木Ｂは、係止部材保持部２２の製作が第１実施形態の仮設足場用幅木Ａの係止部材保持部２よりも容易であり、かつ係止部材保持部２２の幅木本体１に対する溶接を不要とするので係止部材保持部２２の幅木本体１への取り付けも行いやすいという利点がある。
【００６８】
図８に示す第３実施形態の仮設足場用幅木Ｃは、係止部材保持部３２の保持板３３、３３に上下一対の上下動案内用長孔３５、３５が平行状に設けられ、係止部材４０が前記上下動案内用長孔３５、３５を貫通する一対のピン４７、４７によって上下動可能に支持されている点が、第１実施形態の仮設足場用幅木Ａと異なっている。
【００６９】
係止部材保持部３２が横断面コ字状に形成され、一対の保持板３３、３３を連結する連結板３４が幅木本体１に溶接されて固着されていることは第１実施形態の仮設足場用幅木Ａと同様である。
【００７０】
この実施形態の仮設足場用幅木Ｃは、係止部材４０が上下一対平行状の上下動案内用長孔３５、３５に案内されて斜行する直線運動を行うので、第１実施形態及び第２実施形態のように、係止部材４０の動作に回転が伴わない。
【００７１】
従って、第１実施形態及び第２実施形態のような回転範囲規制部材７を不要とする。
【００７２】
なお、上記第１〜第３実施形態の係止部材１０は、斜状に形成された上下動案内用長孔５、３５に案内されて、斜状に上下動するものとなされているが、このような上下動案内用長孔を用いたものでなくても、係止部材の上記のような動作が実現できるものは本発明に含まれる。
【００７３】
また、係止部材が上下動することなく、回転運動のみによって係止部の係止位置から係止解除位置への変更と、幅木の持ち上げが行えるものとなされていても良い。
【符号の説明】
【００７４】
Ａ・・・仮設足場用幅木（第１実施形態）
Ｂ・・・仮設足場用幅木（第２実施形態）
Ｃ・・・仮設足場用幅木（第３実施形態）
Ｙ・・・横架材
１・・・幅木本体
２、２２、３２・・・係止部材保持部
３、２３、３３・・・保持板
４・・・連結板
５、３５・・・上下動案内用長孔
７・・・回転範囲規制部
１０、４０・・・係止部材
１１・・・係止部
１２・・・係止板
１２ａ・・・円弧状切欠部
１３・・・連結板
１５・・・操作部
１７、４７・・・ピン
【図１】
2011149194.tif 000003
【図２】
2011149194.tif 000004
【図３】
2011149194.tif 000005
【図４】
2011149194.tif 000006
【図５】
2011149194.tif 000007
【図６】
2011149194.tif 000008
【図７】
2011149194.tif 000009
【図８】
2011149194.tif 000010